(57)【要約】【課題】Ｍ１６ＱＡＭおよびＯＦＤＭ等方式のシンボル同期をとる方法【解決手段】ここで、任意の点に於ける時間Ｔに対応する電力を求める。２５は、２１の一部から２３及び２２の一部の電力、２６は２３の一部から２２の一部の電力で、２５から２６までの個々の電力は各々異なる。２８は、２２の一部と２４の一部で個々の電力は各々異なる。２７は、２２の一部の電力で、誇張して４個示したが、この４個の電力は全て等しい。【０００８】２７の個々の電力差は、全てゼロ。２５〜２６、２８の夫々の電力差はゼロでない。夫々差出力の絶対値のべき乗根を演算する。べき乗数を大きくするとゼロ以外は全て１に近づく。よってシンボル同期の判定が容易になる。【選択図】　　　　　　図３
2004112732.tif 000002
【特許請求の範囲】
【請求項１】
Ｍ１６ＱＡＭおよびＯＦＤＭ等方式の信号に対し、受信側で直交周波数１Ｈｚに対して任意の点から１サンプリングパルスずつ移動し、それぞれについてフーリエ展開すると必ず２以上の点で同一値を得る。この点を同期点とする。
【発明の詳細な説明】
【０００１】
【発明の属する技術分野】
本発明は、Ｍ１６ＱＡＭおよびＯＦＤＭ等方式の同期方法に関する。
【０００２】
【従来の技術】
Ｍ１６ＱＡＭおよびＯＦＤＭ等方式のシンボル同期は、各サブキャリアの位相を基準にしたもので、郡遅延の少ないことを前提に設計されていた。
この方式は、無線送受信機の設計に大きな負担を強いる問題点があった。
【０００３】
【発明が解決しようとする課題】
本発明は、無線送受信機を含む伝送路の郡遅延に関係なくシンボル同期を確立する。
【０００４】
【課題を解決するための手段】
時間Ｔで繰り返す連続波形を、任意の点に於いて時間Ｔでフーリエ展開すると全ての値は等しい事に着目して同期を検出する。
本発明では、Ｍ１６ＱＡＭおよびＯＦＤＭ等方式の基本シンボルに１以上のサンプリングパルスを付加して送出し、受信側で基本シンボルの時間についてＦＦＴを行いその移動平均を求めると、シンボルの境界で同一値が求められる。
【０００５】
【作用】
送信側では、直交するサブキャリアｆ１＋〜＋ｆｎの０〜（２＋ｉ）πまでについて変調して送出する。受信側でＦＦＴの時間ウインドウが０〜２πの時と，ｉ〜（２＋ｉ）πの時との値は、等しい。
【０００６】
【実施例】
図１にシンボル長とＦＦＴの時間の窓との関係を示す。
図１に於いて、シンボル１，シンボル２、シンボル３は、送信側のシンボルであって、受信側のＦＦＴ時間より長い時間をシンボル長としている。
１１，１２，１３，１４はＦＦＴの時間ウインドウである。
１２及び１３は、シンボル２について、ＦＦＴを行うので値は等しいが、１１及び１４は、シンボル１と２、及びシンボル２と３についてＦＦＴを行うので値がことなる。
そこで等しい値が出力された最初の位置がシンボルの境界となる。
【０００７】
【発明の効果】
本発明によれば、簡単な操作で正確なシンボル同期を確立できる。
【図面の簡単な説明】
【図１】シンボル同期の概念図
【図１】
2004112732.tif 000003
【手続補正書】
【提出日】平成15年5月14日(2003.5.14)
【手続補正１】
【補正対象書類名】明細書
【補正対象項目名】全文
【補正方法】変更
【補正の内容】
【特許請求の範囲】
【請求項１】マルチキャリア信号のシンボル同期検出のための演算に関し、任意のサブキャリアに対し１サンプル毎に、データ長の時間に対応する実効電力を求めて演算する方法。
【請求項２】請求項１の隣接する実効電力の差を求め、差がゼロになる点をシンボル同期点とするシンボル同期検出法。
【請求項３】請求項２の差がゼロになる点を判別する演算に於いて、差の任意べき乗根を求める。「べき乗根のべき乗数が多くなる程ゼロ点判別の分解能が良くなる」ことによる判別方法。
【発明の詳細な説明】
【０００１】
【発明の属する技術分野】
本発明は、マルチキャリア信号のシンボル同期検出法に関する。
【０００２】
【従来の技術】
従来のシンボル同期検出方式は、プリアンブル及びガードインターバルの相関を利用して同期を検出する方式で、高精度・高安定なシンボル同期検出法が確立されていないため、各社各様の同期検出方式を模索しているのが現状である。
従って、方式が複雑でシンボル同期精度が悪く製作コストも高価である。
【０００３】ガードインターバル部は、直接波と反射波の時間差を補償するものであるが、従来は、ジッタ補償のためにも利用した。
従って、ガードインターバル部はシンボルの１０％を超えるものも多い。
また、データシンボルの前に、特殊なデータのシンボルを同期検出の手段として付加する（インターリブ）場合がある。
【０００４】通常は、ガードインターバルの相関を利用して同期を検出する。相関を検出するとピークが現れる。ピーク値は、信号の絶対値及び雑音の強度が関係するので判定が難しい。
同期を検出し易くするために付加した特別な信号（プリアンブル）による方法がある。それは各社各様である。
高精度・高安定なシンボル同期検出法が確立されていないため、各社各様の同期検出方式を模索しているのが現状である。
この方式は、無線送受信装置の設計に大きな負担を強いる問題点があった。
【０００５】
【発明が解決しようとする課題】
従来の相関に依るピーク検出法に於いて、ピーク値が絶対量でないため判定が困難である。本発明は、シンボル同期検出に於いて、検出値は絶対量で、信号の絶対値及び雑音の強度に左右されず安定したピーク値を絶対量として検出する。
【０００６】
【課題を解決するための手段】
図１はマルチキャリア信号を示す。１１は現在のシンボル、１２は次のシンボルを示す。
１３，１４はガードインターバル部、１５，１６はデータ部でサブキャリアの時間軸Ｔ：ｔ＝０〜ｔ＝２π迄とする。
図２は、直接波１０と反射等による遅延波２０が重畳している状態を示す。
図２に於いて２１は、シンボル１１の混信の無い部分、２３はシンボル１２の一部がシンボル１１に干渉している部分を示す。
【０００７】
【作用】
ここで、任意の点に於ける時間Ｔに対応する電力を求める。
２５は、２１の一部から２３及び２２の一部の電力、２６は２３の一部から２２の一部の電力で、２５から２６までの個々の電力は各々異なる。
２８は、２２の一部と２４の一部で個々の電力は各々異なる。
２７は、２２の一部の電力で、誇張して４個示したが、この４個の電力は全て等しい。
【０００８】２７の個々の電力差は、全てゼロ。２５〜２６、２８の夫々の電力差はゼロでない。
夫々差出力の絶対値のべき乗根を演算する。べき乗数を大きくするとゼロ以外は全て１に近づく。
よってシンボル同期の判定が容易になる。
【０００９】
【実施例】
実施例を図３に示す。
マルチキャリア信号３５をＡ／Ｄ変換器３２で変換し、乗算器３１３，３２３へ与える。
参照周波数は、ガードインターバルを無視したサイン波の連続発生器３３、これをＡ／Ｄ変換器３４で変換し９０度移相器３５を経て３１３，３２３へ与える。シフトレジスタ３１４，３２４は、時間Ｔ間のデータを蓄積する。このデータを加算器３１５，３２５で加算し、３１５の出力と３２５の出力を自乗平均器３６で自乗平均器し、シフト加算器３７で隣接するデータの差を算出する。シンボル同期判別器３８で判別する。本実施例では、２０分の１乗根を用いて判別した。
図７に判別の結果を示す。
図４に３２サンプル、ガードインターバル４サンプル、遅延２サンプル、８サブキャリア×２のマルチキャリア信号の波形を示す。
図５はマルチキャリア信号発生のサブキャリアｓｕｂ１（λ＝１／Ｔ）の波形。
図６はシンボル同期検出のための参照周波数の波形を示す。
【００１０】
【発明の効果】
本発明によれば、簡単な操作で正確なシンボル同期を確立できる。
【図面の簡単な説明】
【図１】マルチキャリア信号の概念図。
【図２】電力算出の概念図。
【図３】シンボル同期検出のブロック図。
【図４】マルチキャリア信号の波形。
【図５】マルチキャリア信号発生のサブキャリアの波形
【図６】シンボル同期検出の参照周波数の波形。
【図７】シンボル同期の波形。


【手続補正２】
【補正対象書類名】図面
【補正対象項目名】全図
【補正方法】変更
【補正の内容】
【図１】
2004112732.tif 000004
【図２】
2004112732.tif 000005
【図３】
2004112732.tif 000006
【図４】
2004112732.tif 000007
【図５】
2004112732.tif 000008
【図６】
2004112732.tif 000009
【図７】
2004112732.tif 000010